(57)【要約】【課題】カテーテルの先端部に立体的な形状を付与し、カテーテルを血管内に容易に挿入でき、かつ、安定した形状を保つことができる形状付与具を提供する。【解決手段】ストッパー部４１と、ストッパー部４１に連なる三次元形状部４２と、三次元形状部４２に連なる長軸部４３とを備える形状付与具１００。【選択図】図４
2017217392.tif 000002
【特許請求の範囲】
【請求項１】
ストッパー部と、
前記ストッパー部に連なる三次元形状部と、
前記三次元形状部に連なる長軸部と
を備える形状付与具。
【請求項２】
前記三次元形状部は、らせん形状部分を含む、請求項１に記載の形状付与具。
【請求項３】
前記三次元形状部は、弾性材料で形成されている、請求項１に記載の形状付与具。
【請求項４】
前記三次元形状部および前記長軸部の延在方向に垂直な方向の断面は、略円形であり、形状付けるカテーテルの内腔の断面よりも直径が小さい、請求項１に記載の形状付与具。
【請求項５】
前記長軸部は、前記三次元形状部よりも剛性が高い、請求項１に記載の形状付与具。
【請求項６】
前記ストッパー部と前記三次元形状部とを連結する連結部をさらに備え、
前記連結部には、マーキングが施されている、請求項１ないし５のいずれか１項に記載の形状付与具。
【発明の詳細な説明】
【技術分野】
【０００１】
本発明は、形状付与具に関し、特に、医療用の柔らかい中空管であるカテーテルの先端部を形状付ける技術に関する。
【背景技術】
【０００２】
近年、人体の血管などにカテーテルという細長いチューブを挿入し、血管を通して薬剤や造影剤を注入して検査及び治療を行うことが多く行われている。この治療等に使用されるカテーテルは、比較的太さのあるガイディングカテーテルや、そのガイディングカテーテルを通してより血管の末梢へ挿入されるマイクロカテーテルおよびバルーンカテーテルなど、様々な種類がある。また、これらのカテーテルは、ガイドワイヤと組み合わされて使用されている。
【０００３】
このような医療用カテーテルを人体内に挿入する場合、屈曲した血管や病変部を越えてカテーテルの挿入を容易にするために、カテーテルの先端部に特定の形状を付与することが望ましい。
【０００４】
このカテーテルの先端部への形状付与は、例えば、治療現場において、術者がカテーテルに付属している細長い針金を用い、血管の造影画像を見ながらその先端部を所望の形状に手で湾曲等させたものをカテーテル先端に挿入し、そこに蒸気や温風などを吹き付け加熱させたのち、生理食塩水等の液体中にて冷却、その後その細長い針金を抜去することにより実現されている。ところが、上記のような形状付与の手法は、熟練した術者の技能および使用される器具の性能に依存するとともに、術者に過度の負担を与えて迅速な処置に支障をきたすおそれもある。
【０００５】
そこで、例えば、特許文献１では、角度を付けたり湾曲させたりする等により、予め形状化させた先端形状部を有するカテーテルが提案されている。これにより、例えば前交通動脈又は後交通動脈のような困難な生体構造内への挿入を容易にするとされている。
【先行技術文献】
【特許文献】
【０００６】
【特許文献１】特表２００８−５１７６５２号公報
【発明の概要】
【発明が解決しようとする課題】
【０００７】
しかしながら、特許文献１に記載のカテーテルは、先端形状部が二次元の平面的形状であることから、複雑に屈曲した立体的な血管内に挿入させることは容易ではないと考えられる。
【０００８】
本発明は、このような状況に鑑みてなされたものであり、カテーテルの先端部に立体的な形状を付与し、カテーテルを血管内に容易に挿入でき、かつ、安定した形状を保つことができる形状付与具を提供することを目的とする。
【課題を解決するための手段】
【０００９】
上記課題を解決するため、本発明は、一例として、ストッパー部と、ストッパー部に連なる三次元形状部と、三次元形状部に連なる長軸部とを備える形状付与具を提供する。
【発明の効果】
【００１０】
本発明によれば、カテーテルの先端部に立体的な形状を付与し、カテーテルを血管内に容易に挿入でき、かつ、安定した形状を保つことができる形状付与具を提供することができる。なお、本発明の効果は、必ずしも上記の効果に限定されるものではなく、本開示中に記載されたいずれかの効果であってもよい。
【図面の簡単な説明】
【００１１】
【図１】ガイディングカテーテルを患部に挿入した人体を示す透視図である。
【図２】ガイディングカテーテルを挿入した脳血管を示す拡大模式図である。
【図３】第１実施形態のマイクロカテーテルの全体像を示す平面図である。
【図４】第１実施形態のマンドレルの全体像を示す斜視図である。
【図５】第１実施形態のマンドレルを挿入したマイクロカテーテルの先端部を示す拡大斜視図である。
【図６】第１実施形態のマンドレルの使用方法を示す使用図である。
【図７】第１実施形態のマンドレルを示す正面図である。
【図８】第１実施形態のマンドレルを示す背面図である。
【図９】第１実施形態のマンドレルを示す左側面図である。
【図１０】第１実施形態のマンドレルを示す右側面図である。
【図１１】第１実施形態のマンドレルを示す平面図である。
【図１２】第１実施形態のマンドレルを示す底面図である。
【図１３】第２実施形態のマンドレルの全体像を示す斜視図である。
【図１４】第２実施形態のマンドレルを示す正面図である。
【図１５】第２実施形態のマンドレルを示す背面図である。
【図１６】第２実施形態のマンドレルを示す左側面図である。
【図１７】第２実施形態のマンドレルを示す右側面図である。
【図１８】第２実施形態のマンドレルを示す平面図である。
【図１９】第２実施形態のマンドレルを示す底面図である。
【図２０】第３実施形態のマンドレルの全体像を示す斜視図である。
【図２１】第３実施形態のマンドレルを示す正面図である。
【図２２】第３実施形態のマンドレルを示す背面図である。
【図２３】第３実施形態のマンドレルを示す左側面図である。
【図２４】第３実施形態のマンドレルを示す右側面図である。
【図２５】第３実施形態のマンドレルを示す平面図である。
【図２６】第３実施形態のマンドレルを示す底面図である。
【図２７】第４実施形態のマンドレルの全体像を示す斜視図である。
【図２８】第４実施形態のマンドレルを示す正面図である。
【図２９】第４実施形態のマンドレルを示す背面図である。
【図３０】第４実施形態のマンドレルを示す左側面図である。
【図３１】第４実施形態のマンドレルを示す右側面図である。
【図３２】第４実施形態のマンドレルを示す平面図である。
【図３３】第４実施形態のマンドレルを示す底面図である。
【図３４Ａ】従来のマイクロカテーテルを血管に挿入した様子を表す拡大模式図である。
【図３４Ｂ】本発明に係るマンドレルを使用して先端部を形状付けしたマイクロカテーテルを血管に挿入した様子を表す拡大模式図である。
【発明を実施するための形態】
【００１２】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００１３】
＜１．ガイディングカテーテルの挿入例＞
図１は、医療用カテーテルの一例であるガイディングカテーテルを患部に挿入した人体を示す透視図である。図２は、ガイディングカテーテルを挿入した脳血管を示す拡大模式図である。図１および図２を用いて、ガイディングカテーテルの挿入例について説明する。
【００１４】
図１に示すように、直径２〜３ｍｍ程度の管であるガイディングカテーテル１は、人体２の足の付け根のカテーテル挿入部３から血管４内へ挿入され、レントゲンで透視をしながら頸部の動脈６まで挿入される。次に、ガイディングカテーテル１の直径よりも非常に細い管であるマイクロカテーテル２０が、ガイディングカテーテル１の内腔を通り、マイクロガイドワイヤを用いて頸部の動脈６から脳７の屈曲した脳血管内にある動脈瘤８へ挿入される。
【００１５】
図２に示すように、マイクロカテーテル２０は、例えば、内頸動脈２１内に挿入された、より太いガイディングカテーテル１の中を進んで、前大脳動脈２２に到達する。その後、マイクロカテーテル２０は、前大脳動脈２２の中に入って血流方向に進み、造影剤が投入された位置をレントゲンで透視しながら、動脈瘤８に到達させる。その後、必要な治療を実施して手術を終了する。
【００１６】
このとき、マイクロカテーテル２０の先端部を予め形状付けされることにより、動脈瘤８のある前大脳動脈２２等の血管内への挿入や、動脈瘤８内へマイクロカテーテル２０を挿入した後においても血管内において安定した形状を保つことが可能となる。
【００１７】
図３は、マイクロカテーテルの全体像を示す平面図である。図３に示すように、マイクロカテーテル２０は、長尺管状シャフト３１を備えている。長尺管状シャフト３１は、内腔３２を有し、内腔３２は、マイクロカテーテル２０の後端部３３に位置する近位端３４から先端部３５に位置する遠位端３６まで延びている。内腔３２には、人体２内の動脈瘤８等の標的位置に、その他の治療用装置等を追従するために使用されるガイドワイヤ３７が近位端３４から遠位端３６まで挿入されている。また、マイクロカテーテル２０の後端部３３には、薬剤を内腔３２に注入するためのカテーテルハブ３８が形成されている。
【００１８】
＜２．第１実施形態＞
図４は、第１実施形態のマンドレルの全体像を示す斜視図である。形状付与具の一例である、本実施形態のマンドレル１００は、ストッパー部４１と、ストッパー部４１に連なる三次元形状部４２と、三次元形状部４２に連なる長軸部４３と、を備えている。マンドレル１００は、血管内治療等に用いられるマイクロカテーテル２０の先端部３５に対して、可とう性を持った材料によってあらかじめ成形された線材をマイクロカテーテル２０の先端部３５に挿入し、その形状を蒸気又は温風等によって形状づけを行なうために使用されるものである。
【００１９】
マンドレル１００の材料は、超弾性材料の他、ステンレスやピアノ線などの弾性材料が用いられている。超弾性材料としては、Ｎｉ−Ｔｉ合金、Ｃｕ−Ｓｎ−Ｘ（Ｘ＝Ａｌ、Ｆｅなど）合金、Ｎｉ−Ｔｉ−Ｘ（Ｘ＝Ｆｅ、Ｃｕ、Ｖ、Ｃｏ等）合金等が好ましく用いられる。Ｎｉ−Ｔｉ合金等は、形状記憶合金として、形状記憶効果や超弾性（擬弾性）効果を有することが広く知られており、超弾性（擬弾性）効果を有するものは降伏点を超える変形を与えても永久変形せずに元の形状に戻る。このため、ねじりや曲げに対する戻り特性も良好なので、マンドレル１００に用いる材料としては好適である。また、超弾性（擬弾性）効果を発揮するための温度条件として、室温（２５℃）前後か、もしくはそれ以下の温度に設定されたものが良い。なお、超弾性（擬弾性）については日本規格協会発行のＪＩＳ Ｈ ７００１を参照することができる。
【００２０】
マンドレル１００の太さは、０．１０ｍｍ〜０．５０ｍｍであり、主に使用されるマイクロカテーテル２０の内径を０．３０ｍｍ〜０．４５ｍｍと想定した場合、マンドレル１００の太さは、挿入するマイクロカテーテル２０の内径に対して０．０５ｍｍ程度細いサイズが好ましい。それよりも太いとマイクロカテーテル２０とのクリアランスが小さいためマンドレル１００の挿入がしづらかったり、マイクロカテーテル２０の内腔３２を傷つけたりするおそれがある。また、それより細いとマイクロカテーテル２０とのクリアランスが大きくなり、所定の形状が付きにくくなる可能性がある。本実施形態において、マンドレル１００の三次元形状部４２および長軸部４３の延在方向に垂直な方向の断面は、略円形であり、形状付けるマイクロカテーテル２９の内腔３２の断面よりも直径が小さく形成されている。
【００２１】
マンドレル１００の長軸部４３の長さは、３０〜６０ｍｍ、好ましくは４０ｍｍ程度である。３０ｍｍより短いとマイクロカテーテル２０挿入時の操作性が悪くなり、３０ｍｍより長いとマイクロカテーテル２０挿入時に、マイクロカテーテル２０との接触部が長くなるため挿入抵抗が大きくなる。
【００２２】
ストッパー部４１は簡略的にワイヤーをコイル状に巻いた円筒形状を呈しているが、マンドレル１００をマイクロカテーテル２０内に挿入する際、熱吹き付けをする際、マンドレル１００をマイクロカテーテル２０から抜去する際に術者が操作しやすい形状、大きさであればその形態を問わない。また、ストッパー部４１の形状は、三角形でも四角形でも良いが、術者がはめている手袋を傷つけず、操作しやすい形状と大きさが好ましい。
【００２３】
図５は、第１実施形態のマンドレルを挿入したマイクロカテーテルの先端部を示す拡大斜視図である。図６は、第１実施形態のマンドレルを用いてマイクロカテーテルの先端部の形状付方法例について示した図である。図５および図６を用いて、本実施形態の形状付与方法例について説明する。
【００２４】
図５に示すように、マンドレル１００は、長軸部４３の端部をマイクロカテーテル２０の遠位端３６より挿入し、三次元形状部４２とストッパー部４１との境界部までマイクロカテーテル２０の先端部３５が挿入される。これにより、マイクロカテーテル２０の先端部３５は、二重らせん形状かつ遠位端３６から近位端３４の方向へテーパー形状の三次元形状部５１および長軸部５２が形成される。
【００２５】
このように、先端部３５に二重らせん形状部分をふけいした場合、マンドレルを抜き取った後のマイクロカテーテル２０の先端部３５は、緩いらせん形状を形作る。この形状は屈曲した血管に近似した形状を形作ることとなり、マイクロカテーテル２０内へ挿入されるデバイスや薬剤等が通過する際、血管壁との接触時に与えるストレスが直線形状に留置されたカテーテルに比べて少なくなる。
【００２６】
図６に示すように、マイクロカテーテル２０の先端部３５をマンドレル１００の三次元形状部とストッパー部５１の境界部まで挿入し、上述の形状を作った後、マンドレル１００を挿入した状態の先端部３５に、例えば、約１０秒程度蒸気または温風６１を吹き付け加熱させたのち、生理食塩水等の液体中にて冷却する。その後、先端部３５からマンドレル１００を抜去し、形状が付与されているかことを確認する。
【００２７】
図７は、本実施形態のマンドレル１００を示す正面図である。図８は、本実施形態のマンドレル１００を示す背面図である。図９は、本実施形態のマンドレル１００を示す左側面図である。図１０は、本実施形態のマンドレル１００を示す右側面図である。図１１は、本実施形態のマンドレル１００を示す平面図である。図１２は、本実施形態のマンドレル１００を示す底面図である。
【００２８】
図７および図９等に示すように、マンドレル１００のストッパー部４１は、ストッパー端部７１をマンドレル１００の連結部７２上に弧をなして接触させた、略円形状９１を形成している。ストッパー端部７１は、図７の正面図においてマンドレル１００の連結部７２から右方向にわずかに傾斜して、マンドレル１００の連結部７２上に接触している。同様に、ストッパー端部７１は、図８の背面図においてマンドレル１００の連結部７２から左方向にわずかに傾斜して、マンドレル１００の連結部７２上に接触している。
【００２９】
また、マンドレル１００の三次元形状部４２は、例えば、図１１の平面図に示すように、ストッパー部４１から長軸部４３へ、紙面に向かって反時計回りの方向に二重らせん形状を形成している。さらに、マンドレル１００の三次元形状部４２は、ストッパー部４１から長軸部４３の方向へテーパー形状を形成している。
【００３０】
本実施形態のマンドレル１００を使用することにより、マイクロカテーテル２０の先端部３５を、術者の技量にとらわれず簡便に、複雑に屈曲した血管への挿入や脳動脈瘤治療時にマイクロカテーテル２０を血管内に安定して留置できるような、三次元の立体的形状に付与することを可能にすることができる。なお、本実施形態では、長軸部４３は、三次元形状部４２よりも剛性が高く形成されている。これにより、カテーテル挿入の際に挿入性を向上させることができる。
【００３１】
＜３．第２実施形態＞
図１３ないし図１９を用いて、本発明に係るマンドレルの第２実施形態について説明する。本実施形態が、第１実施形態と相違する点は、三次元形状部のらせん方向が異なる点である。
【００３２】
図１３は、本実施形態のマンドレル２００の全体像を示す斜視図である。図１４は、本実施形態のマンドレル２００を示す正面図である。図１５は、本実施形態のマンドレル２００を示す背面図である。図１６は、本実施形態のマンドレル２００を示す左側面図である。図１７は、本実施形態のマンドレル２００を示す右側面図である。図１８は、本実施形態のマンドレル２００を示す平面図である。図１９は、本実施形態のマンドレル２００を示す底面図である。
【００３３】
図１３に示すように、本実施形態のマンドレル２００は、第１実施形態のマンドレル１００と同様に、ストッパー部１３１と、ストッパー部１３１に連なる三次元形状部１３２と、三次元形状部１３２に連なる長軸部１３３と、を備えている。
【００３４】
また、図１４および図１６等に示すように、マンドレル２００のストッパー部１３１は、ストッパー端部１４１をマンドレル２００の連結部１４２上に弧をなして接触させた、略円形状１６１を形成している。ストッパー端部１４１は、図１４の正面図においてマンドレル２００の連結部１４２から右方向にわずかに傾斜して、マンドレル２００の連結部１４２上に接触している。同様に、ストッパー端部１４１は、図１５の背面図においてマンドレル２００の連結部１４２から左方向にわずかに傾斜して、マンドレル２００の連結部１４２上に接触している。
【００３５】
また、マンドレル２００の三次元形状部１３２は、例えば、図１８の平面図に示すように、ストッパー部１３１から長軸部１３３へ、紙面に向かって時計回りの方向に二重らせん形状を形成している。さらに、マンドレル２００の三次元形状部１３２は、ストッパー部１３１から長軸部１３３の方向へテーパー形状を形成している。
【００３６】
＜４．第３実施形態＞
図２０ないし図２６を用いて、本発明に係るマンドレルの第３実施形態について説明する。本実施形態が、第１実施形態と相違する点は、三次元形状部が８の字方向のらせん形状を形成している点である。
【００３７】
図２０は、本実施形態のマンドレル３００の全体像を示す斜視図である。図２１は、本実施形態のマンドレル３００を示す正面図である。図２２は、本実施形態のマンドレル３００を示す背面図である。図２３は、本実施形態のマンドレル３００を示す左側面図である。図２４は、本実施形態のマンドレル３００を示す右側面図である。図２５は、本実施形態のマンドレル３００を示す平面図である。図２６は、本実施形態のマンドレル３００を示す底面図である。
【００３８】
図２０に示すように、本実施形態のマンドレル３００は、第１実施形態のマンドレル１００と同様に、ストッパー部２０１と、ストッパー部２０１に連なる三次元形状部２０２と、三次元形状部２０２に連なる長軸部２０３と、を備えている。
【００３９】
また、図２１および図２３等に示すように、マンドレル３００のストッパー部２０１は、ストッパー端部２１１をマンドレル３００の連結部２１２上に弧をなして接触させた、略円形状２３１を形成している。ストッパー端部２１１は、図２１の正面図においてマンドレル３００の連結部２１２から左方向にわずかに傾斜して、マンドレル３００の連結部２１２上に接触している。同様に、ストッパー端部２１１は、図２２の背面図においてマンドレル３００の連結部２１２から右方向にわずかに傾斜して、マンドレル３００の連結部２１２上に接触している。
【００４０】
また、マンドレル３００の三次元形状部２０２は、例えば、図２５の平面図に示すように、ストッパー部２０１の連結部２１２から長軸部２０３に向かって時計回りに略円形状２５１を形成し、略円形状２５１に続いて長軸部２０３に向かって略円形状２５１よりも直径が大きい略円形状２５２を反時計回りに形成して、８の字方向の二重らせん形状を形成している。
【００４１】
なお、本実施形態のマンドレル３００の略円形状２５１および略円形状２５２の直径の大きさは、どちらが大きくてもよく、同じであってもよい。また、二重らせん形状は８の字方向に限らず、他の形状の曲線であってもよい。
【００４２】
＜５．第４実施形態＞
図２７ないし図３３を用いて、本発明に係るマンドレルの第４実施形態について説明する。本実施形態が、第１実施形態と相違する点は、三次元形状部が直交した２つの略円形状を形成している点である。
【００４３】
図２７は、本実施形態のマンドレル４００の全体像を示す斜視図である。図２８は、本実施形態のマンドレル４００を示す正面図である。図２９は、本実施形態のマンドレル４００を示す背面図である。図３０は、本実施形態のマンドレル４００を示す左側面図である。図３１は、本実施形態のマンドレル４００を示す右側面図である。図３２は、本実施形態のマンドレル４００を示す平面図である。図３３は、本実施形態のマンドレル４００を示す底面図である。
【００４４】
図２７に示すように、本実施形態のマンドレル４００は、第１実施形態のマンドレル１００と同様に、ストッパー部２７１と、ストッパー部２７１に連なる三次元形状部２７２と、三次元形状部２７２に連なる長軸部２７３と、を備えている。
【００４５】
また、図２８に示すように、マンドレル４００のストッパー部２７１は、ストッパー端部２８１をマンドレル４００の連結部２８２上に弧をなして接触させた、略円形状２８３を形成している。ストッパー端部２８１は、図３０の左側面図においてマンドレル４００の連結部２８２から右方向にわずかに傾斜して、マンドレル４００の連結部２８２上に接触している。同様に、ストッパー端部２８１は、図３１の右側面図においてマンドレル４００の連結部２８２から左方向にわずかに傾斜して、マンドレル４００の連結部２８２上に接触している。
【００４６】
また、マンドレル４００の三次元形状部２７２は、まず、図３０の左側面図に示すように、ストッパー部２７１の略円形状２８３と垂直な平面上において、ストッパー部２７１の連結部２８２から反時計回りに略円形状３０１を形成している。次に、三次元形状部２７２は、図３２の平面図に示すように、略円形状３０１に垂直な平面上において、略円形状３０１に続いて長軸部２７３に向かって略円形状３０１よりも直径が大きい略円形状３２１を反時計回りに形成している。
【００４７】
また、図２７に示すように、マンドレル４００には、ストッパー部２７１の連結部２８２にマイクロカテーテル２０を挿入した際にマイクロカテーテルの遠位端３６の止め位置がわかるようなマーキング２７４を施すことができる。マーキング２７４を施すことで、マイクロカテーテル２０の先端部３５にどれ位の長さの直線部を設定するかを術者が自由に設定することが可能になる。一例として、マーキング２７４を０．５ｍｍ間隔で作製することでマイクロカテーテル２０の先端部３５に直線部分を自由に設定することができる。マーキング２７４を施す方法としては、インクやレーザー等で印刷または焼き付けなどによる方法があるが、これに限定されるものではない。また、マーキングは、マンドレル４００の連結部２８２のような形状にのみ施されるものではなく、ストッパー部と三次元形状部の接続方法により如何様にも対応が可能である。
【００４８】
なお、本実施形態のマンドレル４００の略円形状３０１および略円形状３２１の直径の大きさは、どちらが大きくてもよく、同じであってもよい。また、複数の略円形状は互いに直交する平面上に位置していなくてもよい。
【００４９】
＜６．マイクロカテーテルの挿入例＞
図３４Ａは、従来のマイクロカテーテルを血管に挿入した様子を表す拡大模式図である。図３４Ｂは、本発明に係るマンドレルを使用して先端部を形状付けしたマイクロカテーテルを血管に挿入した様子を表す拡大模式図である。図３４Ａおよび図３４Ｂを用いて、本発明に係るマンドレルを使用して先端部を形状付けしたマイクロカテーテルの特性について説明する。
【００５０】
図３４Ａに示すように、先端部が直線形状の従来のマイクロカテーテル３４０を血管２２内の動脈瘤８へ挿入すると、マイクロカテーテル３４０が血管２２内の屈曲部等の血管壁２２ａ、２２ｂおよび２２ｃに接触し、血管壁２２ａ、２２ｂおよび２２ｃにマイクロカテーテル３４０がまっすぐになろうとする力が加わる。この状態でマイクロカテーテル３４０内にデバイスが挿入されると、血管壁２２ａ、２２ｂおよび２２ｃにマイクロカテーテル３４０がさらにまっすぐになろうとする力が加わり、血管２２に過度の負担がかかることになる。
【００５１】
これに対し、図３４Ｂに示すように、三次元形状にふけいされたマイクロカテーテル２０の先端部３５は、血管２２に沿った形状を保つため、血管２２内留置時に屈曲した血管壁２２ａ、２２ｂおよび２２ｃ等との接触が少ない。これにより、デバイス挿入時のマイクロカテーテル２０の変形が最小限に留められるので、従来のマイクロカテーテル３４０に比べて血管壁２２ａ、２２ｂおよび２２ｃに与えるストレスが少ない。したがって、先端部３５を三次元形状にふけいされたマイクロカテーテル２０は、マイクロカテーテル２０内を挿入するデバイスや、薬液等の通過時に、血管２２に余計なストレスを与えないという効果を有する。
【００５２】
また、例えば、マイクロカテーテル３４０の先端部が二次元形状や一巻のらせん形状の場合であっても、その先端部の一部分のみに形状付けがされているため、上記と同様に、形状付けがされていない直線形状部分は、血管２２に余計なストレスを与えることになる。
【００５３】
本発明は、例えば、上述の様な形態のマンドレル１００、２００、３００、４００を使用することにより、術者の熟練の技能を問わず、マイクロカテーテル２０の先端部３５に、容易に三次元形状を付与することができる。さらに、マイクロカテーテル２０の先端部３５を予め三次元形状に形状付けてから人体２の血管に挿入することができるので、複雑な分岐を持つ血管内であっても所望の位置にマイクロカテーテル２０を進めることが可能となる。また、脳動脈瘤治療において動脈瘤内へカテーテルの挿入後においても血管内において安定した形状を保つことが可能となる。なお、これらに提示した形状だけでなく術者が必要とする形状を適宜形成されていても良い。
【００５４】
本発明の実施形態は、上述した実施形態に限定されるものではなく、本発明の要旨を逸脱しない範囲において種々の変更が可能である。例えば、上述した複数の実施形態の全てまたは一部を組み合わせた形態を採用することができる。
【符号の説明】
【００５５】
１  ガイディングカテーテル
２  人体
３  カテーテル挿入部
４  血管
５  心臓
６  動脈肝臓
７  脳
８  動脈瘤
２０  マイクロカテーテル
２１  内頸動脈
２２  前大脳動脈
３１  長尺管状シャフト
３２  内腔
３３  後端部
３４  近位端
３５  先端部
３６  遠位端
３７  ガイドワイヤ
３８  カテーテルハブ
４１、１３１、２０１、２７１  ストッパー部
４２、５１、１３２、２０２、２７２  三次元形状部
４３、５２、１３３、２０３、２７３  長軸部
６１  蒸気
７１、１４１、２１１、２８１  ストッパー端部
７２、１４２、２１２、２８２  連結部
９１、１６１、２３１、２５１、２５２、２８３、３０１、３２１  略円形状
１００、２００、３００、４００  マンドレル（形状付与器具）
【図１】
2017217392.tif 000003
【図２】
2017217392.tif 000004
【図３】
2017217392.tif 000005
【図４】
2017217392.tif 000006
【図５】
2017217392.tif 000007
【図６】
2017217392.tif 000008
【図７】
2017217392.tif 000009
【図８】
2017217392.tif 000010
【図９】
2017217392.tif 000011
【図１０】
2017217392.tif 000012
【図１１】
2017217392.tif 000013
【図１２】
2017217392.tif 000014
【図１３】
2017217392.tif 000015
【図１４】
2017217392.tif 000016
【図１５】
2017217392.tif 000017
【図１６】
2017217392.tif 000018
【図１７】
2017217392.tif 000019
【図１８】
2017217392.tif 000020
【図１９】
2017217392.tif 000021
【図２０】
2017217392.tif 000022
【図２１】
2017217392.tif 000023
【図２２】
2017217392.tif 000024
【図２３】
2017217392.tif 000025
【図２４】
2017217392.tif 000026
【図２５】
2017217392.tif 000027
【図２６】
2017217392.tif 000028
【図２７】
2017217392.tif 000029
【図２８】
2017217392.tif 000030
【図２９】
2017217392.tif 000031
【図３０】
2017217392.tif 000032
【図３１】
2017217392.tif 000033
【図３２】
2017217392.tif 000034
【図３３】
2017217392.tif 000035
【図３４Ａ】
2017217392.tif 000036
【図３４Ｂ】
2017217392.tif 000037